(57)【特許請求の範囲】
【請求項１】
軸線回りに回転させられるシャフト部材と、
前記シャフト部材の外周面に嵌合する圧延リングと、
前記シャフト部材の外周面に設けられ、前記シャフト部材に対する前記圧延リングの軸線方向の一方側へ向けた移動を規制する支持部と、
前記シャフト部材の外周面に嵌合するとともに、前記圧延リングの軸線方向の他方側に設けられる介装リングと、
前記シャフト部材の外周面に螺着するとともに、前記介装リングの軸線方向の他方側に隣接配置される押圧ナットと、
前記押圧ナットを軸線方向に貫通して形成されるネジ孔と、
前記ネジ孔に螺着するとともに、前記介装リングを軸線方向の一方側に向けて押圧可能なネジ軸と、を備え、
前記押圧ナットには、軸線方向の一方側に向けて開口し、前記ネジ孔よりも径方向外側に位置する内周面を有する嵌合穴部が形成され、
前記介装リングは、前記嵌合穴部内に嵌合する嵌合軸部を有し、
前記嵌合穴部の内周面と前記嵌合軸部の外周面とは、互いに径方向に対向配置され、
前記ネジ軸は、前記嵌合軸部における軸線方向の他方側の端面を押圧することで、前記介装リングを軸線方向の一方側に向けて押圧し、
前記押圧ナットと前記介装リングの間における少なくとも一部以上が、前記嵌合穴部の内周面と前記嵌合軸部の外周面との間に設けられた環状のシール部材によって、外周から内周側への液体の通過を規制するようにシールされていることを特徴とする圧延ロール。
【請求項２】
請求項１に記載の圧延ロールであって、
前記圧延リングの軸線方向の両端面に、軸線回りに延びる環状のシール部材が設けられることを特徴とする圧延ロール。
【請求項３】
請求項１又は２に記載の圧延ロールであって、
前記介装リングの軸線方向の一方側の端面に、軸線回りに延びる環状のシール部材が設けられることを特徴とする圧延ロール。
【請求項４】
請求項１〜３のいずれか一項に記載の圧延ロールであって、
前記嵌合軸部における軸線方向の他方側の端面のうち、少なくとも前記ネジ軸が押圧する部分に、表面硬化処理が施されていることを特徴とする圧延ロール。
【請求項５】
請求項１〜４のいずれか一項に記載の圧延ロールであって、
前記支持部は、前記シャフト部材の外周面に螺着するとともに、前記圧延リングの軸線方向の一方側に配設される支持ナットであることを特徴とする圧延ロール。
【発明の詳細な説明】
【技術分野】
【０００１】
本発明は、例えば線材や棒鋼等となる各種金属素材を圧延加工する圧延ロールに関するものである。
【背景技術】
【０００２】
従来、例えば下記特許文献１に示されるような、線材や棒鋼等となる各種金属素材に対して圧延加工を施す圧延ロールが知られている。
この圧延ロールは、軸線回りに回転させられるシャフト部材と、シャフト部材の外周面に嵌合し、超硬合金等からなる圧延リングと、シャフト部材の外周面のうち軸線方向の一方側の端部に突設されて、圧延リングの軸線方向の一方側へ向けた移動を規制するフランジと、シャフト部材の外周面のうち軸線方向の他方側の端部に螺着する押圧ナットと、押圧ナットを軸線方向に貫通して形成される複数のネジ孔と、各ネジ孔に螺着するとともに、圧延リングの軸線方向の他方側に隣接配置されるスペーサを介して、該圧延リングを軸線方向の一方側へ向けて押圧するネジ軸と、を備えている。
【０００３】
この圧延ロールでは、ネジ孔に対するネジ軸（頭付ボルト）の螺着位置（ねじ込み量）を調整して、ネジ軸の頭部でスペーサを軸線方向の一方側へ向けて押し込むことにより、該スペーサを介して圧延リングが押圧されるとともに、フランジとの間に挟持されて、シャフト部材に固定される。
また、圧延加工時においては、圧延リング近傍に冷却水が供給される。
【先行技術文献】
【特許文献】
【０００４】
【特許文献１】特許第３１９８８７７号公報
【発明の概要】
【発明が解決しようとする課題】
【０００５】
しかしながら、上記従来の圧延ロールにおいては、圧延リングを冷却するために供給される冷却水が、押圧ナットとスペーサの間（ネジ軸の頭部が配置される隙間）を通して、圧延リングとシャフト部材の間に浸入し、シャフト部材に腐食が生じるおそれがあった。
このようにシャフト部材に腐食が発生すると、圧延リングがスリップしたり、シャフト部材の摩耗が早まったりして、圧延加工の精度や工具寿命に影響する。
【０００６】
本発明は、このような事情に鑑みてなされたものであって、冷却水の浸入によるシャフト部材の腐食を防止して、圧延加工を長期にわたり精度よく安定して行うことができ、工具寿命を延長することができる圧延ロールを提供することを目的とする。
【課題を解決するための手段】
【０００７】
このような課題を解決して、前記目的を達成するために、本発明は以下の手段を提案している。
すなわち、本発明の圧延ロールは、軸線回りに回転させられるシャフト部材と、前記シャフト部材の外周面に嵌合する圧延リングと、前記シャフト部材の外周面に設けられ、前記シャフト部材に対する前記圧延リングの軸線方向の一方側へ向けた移動を規制する支持部と、前記シャフト部材の外周面に嵌合するとともに、前記圧延リングの軸線方向の他方側に設けられる介装リングと、前記シャフト部材の外周面に螺着するとともに、前記介装リングの軸線方向の他方側に隣接配置される押圧ナットと、前記押圧ナットを軸線方向に貫通して形成されるネジ孔と、前記ネジ孔に螺着するとともに、前記介装リングを軸線方向の一方側に向けて押圧可能なネジ軸と、を備え、前記押圧ナットには、軸線方向の一方側に向けて開口し、前記ネジ孔よりも径方向外側に位置する内周面を有する嵌合穴部が形成され、前記介装リングは、前記嵌合穴部内に嵌合する嵌合軸部を有し、前記嵌合穴部の内周面と前記嵌合軸部の外周面とは、互いに径方向に対向配置され、前記ネジ軸は、前記嵌合軸部における軸線方向の他方側の端面を押圧することで、前記介装リングを軸線方向の一方側に向けて押圧し、前記押圧ナットと前記介装リングの間における少なくとも一部以上が、前記嵌合穴部の内周面と前記嵌合軸部の外周面との間に設けられた環状のシール部材によって、外周から内周側への液体の通過を規制するようにシールされていることを特徴とする。
【０００８】
この圧延ロールでは、押圧ナットのネジ孔に対するネジ軸の螺着位置（ねじ込み量）を調整し、該ネジ軸で介装リングを軸線方向の一方側へ向けて押し込むことにより、該介装リングを介して、圧延リングが軸線方向の一方側へ押圧される。圧延リングは、支持部により軸線方向の一方側へ向けた移動が規制されているため、軸線方向の両側から挟持されることとなり、シャフト部材に固定される。
本発明ではこのような構成を用いたことにより、例えば圧延リングを固定するために油圧調整機構等を用いるような、複雑で大掛かりな設備は不要となり、設備を簡素化することができる。
【０００９】
その一方で、本発明の上記構成では、押圧ナットのネジ孔に螺着するネジ軸が介装リングを押圧するため、押圧ナットと介装リングの間には、ネジ軸のねじ込み量に応じて隙間が形成されることになる。
そこで、この圧延ロールでは、押圧ナットと介装リングの間における少なくとも一部以上を、外周から内周側への液体の通過を規制するようにシールする構成を採用した。つまり、押圧ナットと介装リングの間における少なくとも一部以上がシールされており、これら部材同士の間を通して、圧延ロールの外部から内部へ液体が流入することが規制されている。これにより、圧延加工時に供給される冷却水が、これらの押圧ナットと介装リングの間を通して、圧延リングとシャフト部材の間に浸入することを防止できる。
このように冷却水の浸入を防止できるため、シャフト部材の腐食を防止することが可能になり、圧延リングのスリップやシャフト部材の摩耗が効果的に抑制される。
【００１０】
以上より本発明によれば、冷却水の浸入によるシャフト部材の腐食を防止して、圧延加工を長期にわたり精度よく安定して行うことができ、工具寿命を延長することができる。
【００１２】
また、ネジ軸が介装リングを押圧する部分（ネジ軸が介装リングに当接する部分）よりも径方向外側に位置する所定位置において、押圧ナットと介装リングとが互いに径方向に対向配置されている。そして、この所定位置にはシール部材が配設されており、該シール部材によって、押圧ナットと介装リングの間が、液体の通過を規制した状態とされてシールされている。
【００１３】
従って、圧延リングの固定時に、押圧ナットのネジ孔に対するネジ軸のねじ込み量を調整して、押圧ナットと介装リングの軸線方向の相対位置が変化した場合であっても（押圧ナットと介装リングとが軸線方向にスライド移動しても）、前記所定位置において、押圧ナットと介装リングの径方向の相対位置は変化しないため、この所定位置におけるシール部材によるシール状態が良好に維持される。
よって、上述した本発明の作用効果が、より安定して奏功される。
【００１４】
さらに、シール部材が配設される前記所定位置は、ネジ軸が介装リングを押圧する部分よりも径方向外側に配置されている。従って、調整スペースが必要とされがちな「ネジ軸が介装リングを押圧する部分」に対しても、シール部材によって冷却水の浸入が防止される。よって、前記調整スペースへの水溜りが防止される。
これにより、シャフト部材のみならず、押圧ナット、ネジ軸及び介装リングの腐食についても防止することができる。
【００１５】
また、本発明の圧延ロールにおいて、前記圧延リングの軸線方向の両端面に、軸線回りに延びる環状のシール部材が設けられることが好ましい。
【００１６】
また、本発明の圧延ロールにおいて、前記介装リングの軸線方向の一方側の端面に、軸線回りに延びる環状のシール部材が設けられることが好ましい。
【００１７】
上記構成のように、圧延リングの軸線方向の両端面や、介装リングの軸線方向の一方側の端面に、例えばＯリング等の軸線回りに延びるシール部材が設けられていると、これらの端面を通して、冷却水が、圧延リングや介装リングと、シャフト部材との間に浸入することを防止できる。
これにより、シャフト部材の腐食をより確実に防止できる。
【００１８】
なお、圧延リングと介装リングとは、軸線方向に隣接して（直接的に接触して）配設されていてもよいし、これらの圧延リングと介装リングとの間に、スペーサが配置されていてもよい。いずれの構成であっても、圧延ロールの内部への冷却水の浸入が防止される。
【００１９】
また、本発明の圧延ロールにおいて、前記嵌合軸部における軸線方向の他方側の端面のうち、少なくとも前記ネジ軸が押圧する部分に、表面硬化処理が施されていることが好ましい。
【００２０】
この場合、介装リングにおける軸線方向の他方側の端面のうち、少なくともネジ軸が押圧する部分に表面硬化処理が施されているので、前記押圧する部分の硬度が高められている。
従って、押圧ナットのネジ孔にネジ軸をねじ込み、介装リングを介して圧延リングを軸線方向に押圧してシャフト部材に固定する際、介装リングの端面がネジ軸の押圧力により変形してしまう（窪んでしまう）ことを抑制できる。
これにより、シャフト部材に対して圧延リングを確実に固定することができる。また、ネジ軸によって介装リングの端面を繰り返し押圧しても、上述の作用効果が安定して奏功される。
【００２１】
なお、この表面硬化処理としては、例えば高周波焼き入れ等が挙げられる。
具体的に、介装リングの端面のうちネジ軸が押圧する部分の硬度は、例えばロックウェル硬さで４５ＨＲＣ以上であることが好ましい。これにより、介装リングの端面が変形することを格別顕著に抑制できる。
【００２２】
また、本発明の圧延ロールにおいて、前記支持部は、前記シャフト部材の外周面に螺着するとともに、前記圧延リングの軸線方向の一方側に配設される支持ナットであることが好ましい。
【００２３】
この場合、シャフト部材に対して圧延リングを固定するときに、支持部（支持ナット）の変形を抑えることができる。
具体的に、圧延リングを固定する際に、押圧ナットのネジ孔にネジ軸を締め込んでいくと、この圧延ロールには、軸線方向に例えば５００〜６００ｔもの大きな軸方向荷重（側圧）が作用し、この側圧を受ける支持部に応力が集中しやすくなる。
【００２４】
例えば従来のように、支持部として、シャフト部材に一体に形成されて外周面から突設するフランジを設けていると、このフランジに大きな側圧が作用して、フランジの根本部分に変形等が生じる可能性がある。フランジに変形等が生じた場合、シャフト部材に対して圧延リングを安定して固定できなくなる。
【００２５】
そこで本発明では、上記構成のように支持部として、シャフト部材の外周面に螺着する支持ナットを採用した。これにより、たとえ大きな側圧が作用した場合であっても、シャフト部材と支持ナットの螺着領域全体に応力が分散させられるため、支持ナットの変形等が抑えられる。
従って、圧延リングを安定して固定することができ、該圧延リングのスリップ等を防止できる。
【発明の効果】
【００２６】
本発明の圧延ロールによれば、冷却水の浸入によるシャフト部材の腐食を防止して、圧延加工を長期にわたり精度よく安定して行うことができ、工具寿命を延長することができる。
【図面の簡単な説明】
【００２７】
【図１】本発明の一実施形態に係る圧延ロールの要部を示す縦断面図である。
【図２】図１のＩＩ部を拡大して示す図である。
【発明を実施するための形態】
【００２８】
以下、本発明の一実施形態に係る圧延ロール１について、図面を参照して説明する。
【００２９】
〔圧延ロールの概略構成〕
本実施形態の圧延ロール１は、例えば線材や棒鋼等となる各種金属素材に対して、圧延加工を施すものである。圧延ロール１は、そのシャフト部材２に対して圧延機の回転トルクが伝達されることにより、軸線Ｏ回りに回転駆動させられる。
また、圧延加工時には、圧延ロール１の圧延リング３近傍に対して、外部から冷却水が供給される。
【００３０】
図１に示されるように、この圧延ロール１は、シャフト部材２と、圧延リング３と、支持ナット（支持部）４と、介装リング５と、押圧ナット６と、ネジ軸７と、スペーサ８と、シール部材９と、を備えている。
本実施形態の例では、圧延リング３、支持ナット４、介装リング５、押圧ナット６及びスペーサ８の外径が、互いに略同一とされている。ただしこれに限定されるものではなく、これら部材の外径は、互いに異なっていてもよい。
【００３１】
また、これら部材のうち、シャフト部材２、支持ナット４、介装リング５及び押圧ナット６は、例えばＳＣＭ材により形成される。圧延リング３は、例えばＷＣ等の超硬合金により形成される。スペーサ８は、例えばＳ４５Ｃ材により形成される。
なお、これらの部材を構成する材料の種類（材質）は、上記の例に限定されるものではない。
【００３２】
〔本明細書で用いる向きの定義〕
本明細書では、シャフト部材２の軸線Ｏが延びる方向を軸線Ｏ方向という。また、図１において、軸線Ｏ方向に沿って押圧ナット６から支持ナット４側へ向かう方向を軸線Ｏ方向の一方側（又は単に一方側）といい、支持ナット４から押圧ナット６側へ向かう方向を軸線Ｏ方向の他方側（又は単に他方側）という。
また、軸線Ｏに直交する方向を径方向といい、径方向のうち、軸線Ｏに接近する向きを径方向の内側といい、軸線Ｏから離間する向きを径方向の外側という。
また、軸線Ｏ回りに周回する方向を周方向という。
【００３３】
〔シャフト部材〕
シャフト部材２は、多段円柱状をなしている。シャフト部材２の両端部（又はいずれかの端部のみでもよい）は、不図示の圧延機に回転可能に支持されている。圧延加工時において、シャフト部材２は、軸線Ｏ回りの周方向のうち所定の回転方向に回転させられる。
【００３４】
図１において、シャフト部材２の軸線Ｏ方向の両端部は、両端部同士の間に位置する部分（中間部分）に比べて、小径となっている。そして、シャフト部材２の前記中間部分に対して、圧延リング３、支持ナット４、介装リング５、押圧ナット６及びスペーサ８が設けられている。
なお、本明細書でいう「シャフト部材２の外周面」とは、シャフト部材２のうち両端部間に位置する前記中間部分の外周面を指している。
【００３５】
図１に示される例では、シャフト部材２の外周面が、略一定の外径に形成されている。またこれにより、シャフト部材２の外周面に配設される圧延リング３、支持ナット４、介装リング５、押圧ナット６及びスペーサ８の内径が、互いに略同一とされている。
【００３６】
ただしこれに限定されるものではなく、例えば、シャフト部材２の外周面のうち、少なくとも圧延リング３及びスペーサ８を配設した部分が、この部分以外の他の部位に比べて、大径に形成されていてもよい。言い換えると、シャフト部材２の外周面のうち、押圧ナット６、介装リング５及び支持ナット４の少なくともいずれかが配設される部分が、圧延リング３及びスペーサ８が配設される部分よりも、小径とされていてもよい。なお、この場合、シャフト部材２の大径とされた部分の外径が、小径とされた部分に装着される部材（押圧ナット６、介装リング５及び支持ナット４）の外径よりも、小さくされる。
【００３７】
シャフト部材２の外周面のうち、軸線Ｏ方向の一方側の端部（図１における右端部）、及び他方側の端部（図１における左端部）には、それぞれ雄ネジ加工が施されており、雄ネジ部が形成されている。また、シャフト部材２の外周面のうち、軸線Ｏ方向の両端部間（雄ネジ部同士の間）に位置する部分については、単なる円柱外周面とされている。
【００３８】
〔圧延リング〕
圧延リング３は、円筒状をなしており、シャフト部材２の外周面に嵌合している。本実施形態では、圧延リング３が、シャフト部材２の外周面に、軸線Ｏ方向に間隔をあけて複数（図１の例では２つ）設けられている。ただしこれに限定されるものではなく、圧延リング３は、シャフト部材２の外周面に、１つのみ設けられていてもよい。
【００３９】
圧延リング３の外周面には、成形溝（カリバー）１０が形成されている。成形溝１０は、圧延リング３の外周面から径方向内側へ向けて窪んでいるとともに、周方向に沿って延びる環状をなしている。
圧延加工時において、圧延リング３の成形溝１０は、金属素材からなるワーク（被圧延材）に直接接触させられて、ワークを成形する。成形溝１０の縦断面視（図１に示される軸線Ｏ方向に沿う断面視）の形状は、ワークに対応して設定される。
【００４０】
図１に示される例では、圧延リング３の外周面に、軸線Ｏ方向に間隔をあけて複数条の成形溝１０が配置されている。ただしこれに限定されるものではなく、圧延リング３の外周面に形成される成形溝１０は、１条のみであってもよい。
【００４１】
〔支持ナット〕
支持ナット（支持部）４は、シャフト部材２の外周面に設けられ、該シャフト部材２に対する圧延リング３の軸線Ｏ方向の一方側へ向けた移動を規制する。そして本実施形態では、このような機能を備える支持部として、シャフト部材２の外周面に螺着する支持ナット４が用いられている。
なお、支持ナット４の軸線Ｏ方向に沿う長さ（螺着領域）は、３０ｍｍ以上であることが好ましい。
【００４２】
具体的に、支持ナット４は、シャフト部材２の外周面における圧延リング３の軸線方向の一方側に配設されているとともに、該シャフト部材２の外周面において一方側の端部に位置する雄ネジ部に螺着している。
図示の例では、支持ナット４の軸線Ｏ方向の他方側の端面（他方側を向く側面）に対して、圧延リング３の軸線Ｏ方向の一方側の端面（一方側を向く側面）が、直接当接している。ただしこれに限定されるものではなく、支持ナット４と圧延リング３の間には、スペーサ８が介装されていてもよい。
【００４３】
〔スペーサ〕
スペーサ８は、シャフト部材２の外周面において、軸線Ｏ方向に隣り合う圧延リング３同士の間に介装されている。なお、本実施形態の例では、スペーサ８が、シャフト部材２の外周面に１つのみ設けられているが、複数設けられていてもよい。
【００４４】
〔介装リング〕
図１及び図２に示されるように、介装リング５は、シャフト部材２の外周面に嵌合しており、圧延リング３の軸線Ｏ方向の他方側に設けられている。
本実施形態の例では、介装リング５の軸線Ｏ方向の一方側の端面（一方側を向く側面、つまり図２において右側を向く面）に対して、圧延リング３の軸線Ｏ方向の他方側の端面（他方側を向く側面、つまり図２において左側を向く面）が、直接当接している。ただしこれに限定されるものではなく、介装リング５と圧延リング３の間には、スペーサ８が介装されていてもよい。
【００４５】
図２において、介装リング５のうち、軸線Ｏ方向の他方側に位置する部分には、この部分以外の部位よりも外径が小さくされた嵌合軸部１１が形成されている。図示の例では、嵌合軸部１１の軸線Ｏ方向の長さが、介装リング５の軸線Ｏ方向の全長のうち半分程度とされている。
なお、嵌合軸部１１は、介装リング５のうち少なくとも軸線Ｏ方向の他方側の端部に形成されていればよい。また、嵌合軸部１１は、介装リング５の全長にわたって形成されていてもよい。
【００４６】
また、介装リング５（の嵌合軸部１１）における軸線Ｏ方向の他方側の端面のうち、少なくともネジ軸７が押圧する部分（当接する部分）には、表面硬化処理が施されている。なお、この表面硬化処理としては、例えば高周波焼き入れ等が挙げられる。
具体的に、介装リング５の前記端面のうち、ネジ軸７が押圧する部分の硬度は、例えばロックウェル硬さで４５ＨＲＣ以上であることが好ましい。
【００４７】
〔押圧ナット〕
押圧ナット６は、シャフト部材２の外周面に螺着するとともに、介装リング５の軸線Ｏ方向の他方側に隣接配置される。押圧ナット６は、シャフト部材２の外周面において他方側の端部に位置する雄ネジ部に螺着している。
【００４８】
押圧ナット６の軸線Ｏ方向に沿う長さ（螺着領域）は、３０ｍｍ以上であることが好ましい。なお、本実施形態の例では、押圧ナット６の軸線Ｏ方向の長さが、支持ナット４の軸線Ｏ方向の長さよりも小さくなっている。
【００４９】
押圧ナット６には、該押圧ナット６を軸線Ｏ方向に貫通するネジ孔１２が形成されている。ネジ孔１２は、軸線Ｏ上に位置する貫通孔（ナットを機能させるための雌ネジ孔）ではなく、押圧ナット６において軸線Ｏから径方向外側に離間した位置に形成された貫通孔である。つまりネジ孔１２は、押圧ナット６の内周面と外周面の間に配置される。
また、押圧ナット６においてネジ孔１２は、周方向に互いに間隔をあけて複数形成されている。本実施形態では、これらのネジ孔１２が、周方向に等間隔をあけて配置されている。
【００５０】
押圧ナット６のうち、軸線Ｏ方向の一方側に位置する部分には、この部分以外の部位よりも内径が大きくされた嵌合穴部１３が形成されている。嵌合穴部１３は、軸線Ｏ方向の一方側へ向けて開口している。嵌合穴部１３の内周面は、ネジ孔１２よりも径方向外側に位置している。
【００５１】
そして、嵌合穴部１３の径方向内側には、介装リング５の嵌合軸部１１が嵌合している。つまり、押圧ナット６と介装リング５とは、嵌合穴部１３と嵌合軸部１１とが嵌合する部分において、互いに径方向に対向配置されている。
なお、本明細書においては、嵌合穴部１３の内周面と、嵌合軸部１１の外周面とが嵌合する部分を指して、「所定位置」ということがある。
【００５２】
嵌合穴部１３の底面（嵌合穴部１３の内部において軸線Ｏ方向の一方側を向く面）と、嵌合軸部１１における軸線Ｏ方向の他方側の端面（他方側を向く面）との間には、若干の隙間が設けられている。この隙間は、ネジ孔１２に螺着して嵌合穴部１３の底面から軸線Ｏ方向の一方側へ向けて突出する後述のネジ軸７が、嵌合軸部１１における軸線Ｏ方向の他方側の端面に当接しているために設けられたものである。
【００５３】
また、押圧ナット６において嵌合穴部１３よりも径方向外側に位置して軸線Ｏ方向の一方側を向く端面（押圧ナット６において最も軸線Ｏ方向の一方側に位置する面）と、介装リング５において嵌合軸部１１よりも径方向外側に位置して軸線Ｏ方向の他方側を向く端面（介装リング５の嵌合軸部１１以外の部位において最も軸線Ｏ方向の他方側に位置する面）との間にも、若干の隙間が設けられている。この隙間には、シリコンコーキング剤等のシール部材９ａ（９）が充填されている。
【００５４】
なお、嵌合軸部１１が、介装リング５の軸線Ｏ方向の全長にわたって形成される場合には、押圧ナット６において嵌合穴部１３よりも径方向外側に位置して軸線Ｏ方向の一方側を向く端面は、圧延リング３において軸線Ｏ方向の他方側を向く端面に対して、若干の隙間をあけて対向配置される。この場合も、前記隙間にはシリコンコーキング剤等のシール部材が充填される。
【００５５】
〔ネジ軸〕
ネジ軸７は、押圧ナット６のネジ孔１２に螺着しているとともに、介装リング５を軸線Ｏ方向の一方側に向けて押圧可能である。本実施形態の例では、ネジ軸７として、該ネジ軸７の全長にわたって外径が一定に形成された、六角穴付き止めネジが用いられている。ただしこれに限定されるものではなく、例えばネジ軸７は、押圧ナット６の軸線Ｏ方向の他方側の端面から頭部が突出させられ、該頭部に連設されたネジ部が、ネジ孔１２に螺着するとともに該ネジ孔１２の軸線Ｏ方向の一方側の端部から突出させられた、頭付きボルトであってもよい。
【００５６】
本実施形態の例では、ネジ軸７における軸線Ｏ方向の両端部のうち、軸線Ｏ方向の一方側の端部が、ネジ孔１２から一方側へ向けて突出しているとともに、介装リング５の嵌合軸部１１において軸線Ｏ方向の他方側を向く端面に当接している。また、ネジ軸７の軸線Ｏ方向の他方側の端部は、ネジ孔１２内に配置されている。そして、ネジ孔１２内のうち、ネジ軸７よりも軸線Ｏ方向の他方側に位置する隙間には、シリコンコーキング剤等のシール部材９ｂ（９）が充填されている。
【００５７】
なお、ネジ軸７が介装リング５に当接して該介装リング５を押圧する径方向の位置は、圧延リング３における径方向の中央部（圧延リング３の外周縁部と内周縁部から略等しい距離にある中央部分）に対応して設定されるか、或いは、圧延リング３の内周縁部に対応して設定されることが好ましい。
【００５８】
また、上述した「所定位置」、すなわち、嵌合穴部１３の内周面と、嵌合軸部１１の外周面とが嵌合する部分は、ネジ軸７が介装リング５を押圧する部分よりも、径方向の外側に配置されている。
【００５９】
〔シール部材〕
シール部材９は、圧延ロール１の外部から供給される冷却水が、該圧延ロール１の内部に浸入することを防止するものであり、弾性変形可能に形成されている。ただし、冷却水の浸入を防止できる機能を有していればよく、弾性変形不能であってもよい。
【００６０】
本実施形態では、シール部材９として、上述したシリコンコーキング剤等のシール部材９ａ、９ｂの他、Ｏリング等からなる複数のシール部材９ｃ〜９ｇが設けられている。シール部材９ｃ〜９ｇは、圧延ロール１に配設されたときに、いずれも軸線Ｏ回りに延びる環状をなしている。
【００６１】
上記複数のシール部材９ｃ〜９ｇのうち、シール部材９ｃ（９）は、押圧ナット６と介装リング５とが、互いに径方向に対向する上記「所定位置」に設けられている。
具体的に、このシール部材９ｃは、上記所定位置において、嵌合穴部１３の内周面及び嵌合軸部１１の外周面のいずれかに形成された環状溝内に収容されている。また、シール部材９ｃは、前記環状溝の３方の内壁（一対の側壁及び底壁）に密着しているとともに、該環状溝の開口部から僅かに突出するように設けられており、この環状溝に対向する周面部分に対しても、密着させられている。
【００６２】
そして、このシール部材９ｃ及び上述したシール部材９ａによって、押圧ナット６と介装リング５の間が、外周から内周側への液体の通過を規制するようにシール（密閉、密封、封止）されている。具体的には、これらのシール部材９ａ、９ｃによって、押圧ナット６と介装リング５の間における少なくとも一部以上（本実施形態の例では２箇所）が、圧延ロール１の外部から内部への液体（冷却水）の通過を規制した状態とされて、シールされている。
なお、シール部材９ｃについては、軸線Ｏ方向に互いに間隔をあけて、又は隣接して、複数設けられていてもよい。
【００６３】
シール部材９ｄ（９）は、介装リング５の軸線Ｏ方向の一方側の端面に設けられている。また、言い換えると、シール部材９ｄ（９）は、圧延リング３の軸線Ｏ方向の他方側の端面に設けられている。
シール部材９ｄは、介装リング５における軸線Ｏ方向の一方側の端面、及び、該介装リング５の一方側に隣接する圧延リング３における軸線Ｏ方向の他方側の端面、のいずれかに形成された環状溝内に収容されている。また、シール部材９ｄは、前記環状溝の３方の内壁（一対の側壁及び底壁）に密着しているとともに、該環状溝の開口部から僅かに突出するように設けられており、この環状溝に対向する端面部分に対しても、密着させられている。
【００６４】
そして、このシール部材９ｄによって、介装リング５と圧延リング３の間が、外周から内周側への液体の通過を規制するようにシールされている。具体的には、シール部材９ｄによって、介装リング５と圧延リング３の間における少なくとも一部以上（本実施形態の例では１箇所）が、圧延ロール１の外部から内部への液体（冷却水）の通過を規制した状態とされて、シールされている。つまりシール部材９ｄは、径方向に互いに間隔をあけて、又は隣接して、複数設けられていてもよい。
【００６５】
シール部材９ｅ（９）は、圧延リング３の軸線Ｏ方向の一方側の端面に設けられている。また、言い換えると、シール部材９ｅ（９）は、スペーサ８の軸線Ｏ方向の他方側の端面に設けられている。
シール部材９ｅは、圧延リング３における軸線Ｏ方向の一方側の端面、及び、該圧延リング３の一方側に隣接するスペーサ８における軸線Ｏ方向の他方側の端面、のいずれかに形成された環状溝内に収容されている。また、シール部材９ｅは、前記環状溝の３方の内壁（一対の側壁及び底壁）に密着しているとともに、該環状溝の開口部から僅かに突出するように設けられており、この環状溝に対向する端面部分に対しても、密着させられている。
【００６６】
そして、このシール部材９ｅによって、圧延リング３とスペーサ８の間が、外周から内周側への液体の通過を規制するようにシールされている。具体的には、シール部材９ｅによって、圧延リング３とスペーサ８の間における少なくとも一部以上（本実施形態の例では１箇所）が、圧延ロール１の外部から内部への液体（冷却水）の通過を規制した状態とされて、シールされている。つまりシール部材９ｅは、径方向に互いに間隔をあけて、又は隣接して、複数設けられていてもよい。
【００６７】
シール部材９ｆ（９）は、スペーサ８の軸線Ｏ方向の一方側の端面に設けられている。また、言い換えると、シール部材９ｆ（９）は、圧延リング３の軸線Ｏ方向の他方側の端面に設けられている。
シール部材９ｆは、スペーサ８における軸線Ｏ方向の一方側の端面、及び、該スペーサ８の一方側に隣接する圧延リング３における軸線Ｏ方向の他方側の端面、のいずれかに形成された環状溝内に収容されている。また、シール部材９ｆは、前記環状溝の３方の内壁（一対の側壁及び底壁）に密着しているとともに、該環状溝の開口部から僅かに突出するように設けられており、この環状溝に対向する端面部分に対しても、密着させられている。
【００６８】
そして、このシール部材９ｆによって、スペーサ８と圧延リング３の間が、外周から内周側への液体の通過を規制するようにシールされている。具体的には、シール部材９ｆによって、スペーサ８と圧延リング３の間における少なくとも一部以上（本実施形態の例では１箇所）が、圧延ロール１の外部から内部への液体（冷却水）の通過を規制した状態とされて、シールされている。つまりシール部材９ｆは、径方向に互いに間隔をあけて、又は隣接して、複数設けられていてもよい。
【００６９】
シール部材９ｇ（９）は、圧延リング３の軸線Ｏ方向の一方側の端面に設けられている。また、言い換えると、シール部材９ｇ（９）は、支持ナット４の軸線Ｏ方向の他方側の端面に設けられている。
シール部材９ｇは、圧延リング３における軸線Ｏ方向の一方側の端面、及び、該圧延リング３の一方側に隣接する支持ナット４における軸線Ｏ方向の他方側の端面、のいずれかに形成された環状溝内に収容されている。また、シール部材９ｇは、前記環状溝の３方の内壁（一対の側壁及び底壁）に密着しているとともに、該環状溝の開口部から僅かに突出するように設けられており、この環状溝に対向する端面部分に対しても、密着させられている。
【００７０】
そして、このシール部材９ｇによって、圧延リング３と支持ナット４の間が、外周から内周側への液体の通過を規制するようにシールされている。具体的には、シール部材９ｇによって、圧延リング３と支持ナット４の間における少なくとも一部以上（本実施形態の例では１箇所）が、圧延ロール１の外部から内部への液体（冷却水）の通過を規制した状態とされて、シールされている。つまりシール部材９ｇは、径方向に互いに間隔をあけて、又は隣接して、複数設けられていてもよい。
【００７１】
なお、上述した各シール部材９ｃ〜９ｇが収容される環状溝は、超硬合金からなる圧延リング３に形成するよりは、該圧延リング３以外の鋼材等からなる他の部材（比較的硬度が低く靱性が確保された材料）に形成することが好ましい。
【００７２】
〔本実施形態による作用効果〕
この圧延ロール１では、押圧ナット６のネジ孔１２に対するネジ軸７の螺着位置（ねじ込み量）を調整し、該ネジ軸７で介装リング５を軸線Ｏ方向の一方側へ向けて押し込むことにより、該介装リング５を介して、圧延リング３が軸線Ｏ方向の一方側へ押圧される。圧延リング３は、支持ナット４により軸線Ｏ方向の一方側へ向けた移動が規制されているため、軸線Ｏ方向の両側から挟持されることとなり、シャフト部材２に固定される。またスペーサ８についても、上記同様の作用により、シャフト部材２に固定される。
本実施形態ではこのような構成を用いたことにより、例えば圧延リング３を固定するために油圧調整機構等を用いるような、複雑で大掛かりな設備は不要となり、設備を簡素化することができる。
【００７３】
その一方で、本実施形態の上記構成では、押圧ナット６のネジ孔１２に螺着するネジ軸７が介装リング５を押圧するため、押圧ナット６と介装リング５の間には、ネジ軸７のねじ込み量に応じて隙間が形成されることになる。
そこで、この圧延ロール１では、押圧ナット６と介装リング５の間における少なくとも一部以上を、外周から内周側への液体の通過を規制するようにシールする構成を採用した。つまり、押圧ナット６と介装リング５の間における少なくとも一部以上がシールされており、これら部材６、５同士の間を通して、圧延ロール１の外部から内部へ液体が流入することが規制されている。これにより、圧延加工時に供給される冷却水が、これらの押圧ナット６と介装リング５の間を通して、圧延リング３とシャフト部材２の間に浸入することを防止できる。
このように冷却水の浸入を防止できるため、シャフト部材２の腐食を防止することが可能になり、圧延リング３のスリップやシャフト部材２の摩耗が効果的に抑制される。
【００７４】
以上より本実施形態によれば、冷却水の浸入によるシャフト部材２の腐食を防止して、圧延加工を長期にわたり精度よく安定して行うことができ、工具寿命を延長することができる。
【００７５】
また、本実施形態では、ネジ軸７が介装リング５を押圧する部分（ネジ軸７が介装リング５に当接する部分）よりも径方向外側に位置する所定位置において、押圧ナット６と介装リング５とが互いに径方向に対向配置されている。そして、この所定位置にはシール部材９ｃが配設されており、該シール部材９ｃによって、押圧ナット６と介装リング５の間が、液体の通過を規制した状態とされてシールされている。
【００７６】
従って、圧延リング３の固定時に、押圧ナット６のネジ孔１２に対するネジ軸７のねじ込み量を調整して、押圧ナット６と介装リング５の軸線Ｏ方向の相対位置が変化した場合であっても（押圧ナット６と介装リング５とが軸線Ｏ方向にスライド移動しても）、前記所定位置において、押圧ナット６と介装リング５の径方向の相対位置は変化しないため、この所定位置におけるシール部材９ｃによるシール状態が良好に維持される。
よって、上述した本実施形態の作用効果が、より安定して奏功される。
【００７７】
さらに、シール部材９ｃが配設される前記所定位置は、ネジ軸７が介装リング５を押圧する部分よりも径方向外側に配置されている。従って、調整スペースが必要とされがちな「ネジ軸７が介装リング５を押圧する部分」に対しても、シール部材９ｃによって冷却水の浸入が防止される。よって、前記調整スペースへの水溜りが防止される。
これにより、シャフト部材２のみならず、押圧ナット６、ネジ軸７及び介装リング５の腐食についても防止することができる。
【００７８】
なお、本実施形態では、押圧ナット６と介装リング５とが互いに径方向に対向配置される所定位置に、シール部材９ｃが設けられて、押圧ナット６と介装リング５の間が、液体の通過を規制した状態とされてシールされていると説明したが、これに限定されるものではない。すなわち、例えば、押圧ナット６の嵌合穴部１３と、介装リング５の嵌合軸部１１との嵌合のみによって、押圧ナット６と介装リング５の間を、外周から内周側への液体の通過を規制するようにシールすることが可能な場合には、シール部材９ｃは設けられていなくてもよい。またこの場合、シール部材９ａについても同様に、設けられなくてもよい。
【００７９】
また、本実施形態では、圧延リング３の軸線Ｏ方向の両端面、介装リング５の軸線Ｏ方向の一方側の端面、スペーサ８の軸線Ｏ方向の両端面、支持ナット４の軸線Ｏ方向の他方側の端面に、軸線Ｏ回りに延びる環状のシール部材９ｄ〜９ｇが設けられているので、これらの端面を通して、冷却水が、圧延リング３・介装リング５・スペーサ８・支持ナット４と、シャフト部材２と、の間に浸入することを防止できる。
これにより、シャフト部材２の腐食をより確実に防止できる。
【００８０】
なお、圧延リング３の軸線Ｏ方向の両端面、介装リング５の軸線Ｏ方向の一方側の端面、スペーサ８の軸線Ｏ方向の両端面、支持ナット４の軸線Ｏ方向の他方側の端面において、シール部材９ｄ〜９ｇを設けることなく、対向する端面同士の当接（密着）のみによって、端面同士の間を、外周から内周側への液体の通過を規制するようにシールすることが可能な場合には、これらの端面にシール部材９ｄ〜９ｇが設けられていなくてもよい。
【００８１】
また、圧延リング３と介装リング５とは、本実施形態で説明したように、軸線Ｏ方向に隣接して（直接的に接触して）配設されていてもよいし、本実施形態とは異なり、これらの圧延リング３と介装リング５との間に、スペーサ８が配置されていてもよい。いずれの構成であっても、圧延ロール１の内部への冷却水の浸入が防止される。
【００８２】
また、押圧ナット６における軸線Ｏ方向の他方側の端面に開口するネジ孔１２には、シリコンコーキング剤等のシール部材９ｂが充填されているため、ネジ軸７を軸線Ｏ方向に移動させても、該ネジ軸７とネジ孔１２との間のシール性が確保されて、この間を通して圧延ロール１の内部に冷却水が浸入することを防止できる。
【００８３】
また、本実施形態では、介装リング５における軸線Ｏ方向の他方側の端面のうち、少なくともネジ軸７が押圧する部分に表面硬化処理が施されているので、前記押圧する部分の硬度が高められている。
従って、押圧ナット６のネジ孔１２にネジ軸７をねじ込み、介装リング５を介して圧延リング３を軸線Ｏ方向に押圧してシャフト部材２に固定する際、介装リング５の端面がネジ軸７の押圧力により変形してしまう（窪んでしまう）ことを抑制できる。
これにより、シャフト部材２に対して圧延リング３を確実に固定することができる。また、ネジ軸７によって介装リング５の端面を繰り返し押圧しても、上述の作用効果が安定して奏功される。
【００８４】
なお、介装リング５の端面のうちネジ軸７が押圧する部分の硬度を、ロックウェル硬さで４５ＨＲＣ以上とした場合には、介装リング５の端面が変形することを、格別顕著に抑制することができる。
【００８５】
また、本実施形態では、シャフト部材２に対する圧延リング３の軸線Ｏ方向の一方側へ向けた移動を規制するための支持部として、シャフト部材２の外周面に螺着するとともに、圧延リング３の軸線方向の一方側に配設される支持ナット４を用いたので、下記の作用効果を奏する。
すなわちこの場合、シャフト部材２に対して圧延リング３を固定するときに、支持部（支持ナット４）の変形を抑えることができる。
【００８６】
具体的に、圧延リング３を固定する際に、押圧ナット６のネジ孔１２にネジ軸７を締め込んでいくと、この圧延ロール１には、軸線Ｏ方向に例えば５００〜６００ｔもの大きな軸方向荷重（側圧）が作用し、この側圧を受ける支持部に応力が集中しやすくなる。
ここで、例えば従来のように、支持部として、シャフト部材に一体に形成されて外周面から突設するフランジを設けていると、このフランジに大きな側圧が作用して、フランジの根本部分に変形等が生じる可能性がある。フランジに変形等が生じた場合、シャフト部材に対して圧延リングを安定して固定できなくなる。
【００８７】
このため本実施形態では、上記構成のように支持部として、シャフト部材２の外周面に螺着する支持ナット４を採用した。これにより、たとえ大きな側圧が作用した場合であっても、シャフト部材２と支持ナット４の螺着領域全体に応力が分散させられるため、支持ナット４の変形等が抑えられる。
従って、圧延リング３を安定して固定することができ、該圧延リング３のスリップ等を防止できる。
なお、支持ナット４の軸線Ｏ方向の長さ（螺着領域）が３０ｍｍ以上であると、応力分散の効果がより安定的に得られやすい。また押圧ナット６についても、支持ナット４に作用する側圧と同様の側圧が作用（反作用）することがあるため、軸線Ｏ方向の長さ（螺着領域）は３０ｍｍ以上であることが好ましい。
【００８８】
また、本実施形態では、押圧ナット６のネジ孔１２が、周方向に等間隔をあけて配置されているので、これらのネジ孔１２に螺着する各ネジ軸７により、介装リング５を周方向に均等に押圧することができる。従って、介装リング５を介した圧延リング３の固定が、より安定して行える。
【００８９】
また、ネジ軸７が介装リング５を押圧する径方向の位置が、圧延リング３における径方向の中央部（圧延リング３の外周縁部と内周縁部から略等しい距離にある中央部分）に対応して設定される場合には、圧延リング３に軸線Ｏ方向の押圧力が安定して伝達されやすくなり、圧延リング３やスペーサ８をより固定しやすくなる。
【００９０】
また、ネジ軸７が介装リング５を押圧する径方向の位置が、圧延リング３における内周縁部に対応して設定される場合には、例えば長期の使用により、圧延リング３を外周から再研磨して該圧延リング３の外径が小さくなったとしても、ネジ軸７により圧延リング３を、工具寿命まで安定して押圧することができる。
【００９１】
〔本発明に含まれるその他の構成〕
なお、本発明は前述の実施形態に限定されるものではなく、本発明の趣旨を逸脱しない範囲において種々の変更を加えることが可能である。
【００９２】
例えば、前述の実施形態では、介装リング５における軸線Ｏ方向の他方側の端面のうち、少なくともネジ軸７が押圧する部分に、表面硬化処理が施されていることとしたが、これに限定されるものではない。すなわち、介装リング５の材質そのものに、硬度の高い素材を用いてもよい。
【００９３】
また、前述の実施形態では、図１に示されるように、圧延リング３、支持ナット４、介装リング５、押圧ナット６及びスペーサ８における軸線Ｏ方向の各端面が、軸線Ｏに垂直な平面とされているが、これに限定されるものではない。
【００９４】
また、前述の実施形態では、支持部として支持ナット４を用いたが、これに限定されるものではない。すなわち、例えば支持部として、シャフト部材２の外周面から径方向外側へ向けて突出するとともに、周方向に沿って延びる環状のフランジを用いてもよい。ただしこの場合、５００〜６００ｔ程度の側圧が作用しても変形等が生じない程度に、フランジにおける軸線Ｏ方向の長さ（フランジ厚）を十分に確保することが好ましい。
【００９５】
その他、本発明の趣旨から逸脱しない範囲において、前述の実施形態、変形例及びなお書き等で説明した各構成（構成要素）を組み合わせてもよく、また、構成の付加、省略、置換、その他の変更が可能である。また本発明は、前述した実施形態によって限定されることはなく、特許請求の範囲によってのみ限定される。
【符号の説明】
【００９６】
１  圧延ロール
２  シャフト部材
３  圧延リング
４  支持ナット（支持部）
５  介装リング
６  押圧ナット
７  ネジ軸
９ｃ  シール部材
９ｄ  シール部材
９ｅ  シール部材
９ｆ  シール部材
９ｇ  シール部材
１２  ネジ孔
Ｏ  軸線
【図１】
0006455276.tif 000002
【図２】
0006455276.tif 000003